(57)【要約】【課題】液晶パネル表示面の輝度ムラを生じさせることなく、バックライトユニットのＬＥＤ基板と液晶モジュール背面のメイン基板を接続するフラットケーブルの長さを短縮できるようにＬＥＤ基板を改良した液晶モジュールを提供する。【解決手段】ＬＥＤ光源２ａを一列に並べて搭載したＬＥＤ基板２を導光板１の端面沿いに配置してなるエッジライト型のバックライトユニットをリアフレーム６の内側に収容し、導光板の前面側に液晶パネルを配置した液晶モジュールであって、ＬＥＤ基板２の長さ方向中央部の側縁部に給電用の配線を引き回してフラットケーブル接続用のエッジコネクタ１２を上記側縁部に取付け、フラットケーブル４の一端をエッジコネクタ１２に、他端をリアフレーム６背面のメイン基板５のコネクタ３０に接続した液晶モジュールとする。エッジコネクタ１２とメイン基板５のコネクタ３０の距離を短くしてフラットケーブル４を短縮する。【選択図】図２
2012013722.tif 000002
【特許請求の範囲】
【請求項１】
複数のＬＥＤ光源を一定間隔をあけて一列に並べて搭載したＬＥＤ基板を導光板の端面沿いに配置してなるエッジライト型のバックライトユニットをリアフレームの内側に収容すると共に、導光板の前面側に液晶パネルを配置した液晶モジュールであって、
ＬＥＤ基板の長さ方向中央部の側縁部に配線を引き回して端子部を形成し、フラットケーブル接続用のエッジコネクタの一対の挟持片でＬＥＤ基板の上記側縁部を挟み込んでエッジコネクタをＬＥＤ基板の上記側縁部に取付けると共に、一方の挟持片に形成された端子部とＬＥＤ基板の上記端子部を接続し、エッジコネクタにフラットケーブルを接続したことを特徴とする液晶モジュール。
【請求項２】
ＬＥＤ基板のＬＥＤ光源が搭載される表面と反対側の裏面に配線を設け、ＬＥＤ基板の長さ方向中央部の側縁部に配線を引き回して端子部を形成すると共に、ＬＥＤ基板表面のＬＥＤ光源搭載用の端子部とＬＥＤ基板裏面の配線をスルーホールで接続したことを特徴とする請求項１に記載の液晶モジュール。
【発明の詳細な説明】
【技術分野】
【０００１】
本発明はテレビ、カーナビ、パソコンその他の電子機器に組み込まれる、エッジライト型のバックライトユニットを内蔵した液晶モジュールに関し、更に詳しくは、液晶パネルの表示面の輝度ムラを生じさせることなく、バックライトユニットのＬＥＤ基板と液晶モジュール背面のメイン基板を接続するフラットケーブルの長さを短縮できるように改良した液晶モジュールに関する。
【背景技術】
【０００２】
エッジライト型のバックライトユニットを内蔵した従来の液晶モジュールは、図１０に示すように、バックライトユニットの導光板１の端面にＬＥＤ基板２００が配置されている。このＬＥＤ基板２００は、図９に示すように、基板表面に複数のＬＥＤ光源２ａを一定間隔をあけて一列に並べて搭載したものであって、給電用の配線２ｂをＬＥＤ基板２００の長さ方向一端部まで引き回してフラットケーブル接続用のコネクタ３を設けている。そして、このコネクタ３にフラットケーブル４の一端を接続すると共に、該ケーブル４の他端を図１０に示すように液晶モジュールの背面へ引き出し、背面に取付けられたメイン基板５のコネクタ３０に接続している。
【０００３】
一方、帯状の基板上に所定の間隔で複数のＬＥＤを搭載すると共に、各ＬＥＤ間を接続し、ＬＥＤ間の適宜位置にスイッチ回路を介在させた帯状のＬＥＤユニットを準備し、このＬＥＤユニットを複数配置してコードで順次接続することにより、所定面積の照明体を構成し、ＬＥＤユニットの基板の端部の電極からコネクタを介して電源等に接続した面状照明光源が知られている（特許文献１）。
【０００４】
また、一つの電源供給部で、分割されたＬＥＤタイルを駆動電圧を印加するために、各ＬＥＤタイルを雄コネクタと雌コネクタで接続したバックライトアセンブリも知られている（特許文献２）。
【先行技術文献】
【特許文献】
【０００５】
【特許文献１】特開２００７−１０９４４７号公報
【特許文献２】特開２００８−２３５２４１号公報
【発明の概要】
【発明が解決しようとする課題】
【０００６】
しかしながら、従来の液晶モジュールのように、バックライトユニットのＬＥＤ基板２００が、その長さ方向一端部にフラットケーブル接続用のコネクタ３を設けたものであると、このコネクタ３と液晶モジュール背面のメイン基板５のコネクタ３０との距離が長くなり、その距離に見合った長いフラットケーブル４を使用しなければならないため、コストアップを招くという問題があった。
【０００７】
上記の問題は、フラットケーブル接続用のコネクタ３をＬＥＤ基板２００の長さ方向中央部に設けると、一応、解決されることになるが、その場合はＬＥＤ基板２００の長さ方向中央部の二つのＬＥＤ光源２ａ，２ａのピッチを拡張してコネクタ３を設けなければならないため、点灯時に液晶パネルの表示面の中央部分の輝度が低下して他の部分よりも暗くなるという新たな問題が生じることになる。従って、この解決策は採用することができない。
【０００８】
一方、前記特許文献１の面状照明光源や前記特許文献２のバックライトアセンブリは、エッジライト型ではなく直下ライト型のものであり、上記問題の解決に役立つものではない。
【０００９】
本発明は上記事情の下になされたもので、その解決しようとする課題は、液晶パネルの表示面の輝度ムラを生じさせることなく、バックライトユニットのＬＥＤ基板と液晶モジュール背面のメイン基板を接続するフラットケーブルの長さを短縮できるようにＬＥＤ基板を改良した液晶モジュールを提供することにある。
【課題を解決するための手段】
【００１０】
上記課題を解決するため、本発明に係る液晶モジュールは、複数のＬＥＤ光源を一定間隔をあけて一列に並べて搭載したＬＥＤ基板を導光板の端面沿いに配置してなるエッジライト型のバックライトユニットをリアフレームの内側に収容すると共に、導光板の前面側に液晶パネルを配置した液晶モジュールであって、
ＬＥＤ基板の長さ方向中央部の側縁部に配線を引き回して端子部を形成し、フラットケーブル接続用のエッジコネクタの一対の挟持片でＬＥＤ基板の上記側縁部を挟み込んでエッジコネクタをＬＥＤ基板の上記側縁部に取付けると共に、一方の挟持片に形成された端子部とＬＥＤ基板の上記端子部を接続し、エッジコネクタにフラットケーブルを接続したことを特徴とするものである。
【００１１】
本発明の液晶モジュールにおいては、ＬＥＤ基板のＬＥＤ光源が搭載される表面と反対側の裏面に配線を設け、ＬＥＤ基板の長さ方向中央部の側縁部に配線を引き回して端子部を形成すると共に、ＬＥＤ基板表面のＬＥＤ光源搭載用の端子部とＬＥＤ基板裏面の配線をスルーホールで接続してもよい。
【発明の効果】
【００１２】
本発明の液晶モジュールのように、ＬＥＤ基板の長さ方向中央部の側縁部に配線を引き回して端子部を形成し、フラットケーブル接続用のエッジコネクタの一対の挟持片でＬＥＤ基板の上記側縁部を挟み込んでエッジコネクタをＬＥＤ基板の上記側縁部に取付けると、エッジコネクタと液晶モジュール背面のメイン基板のコネクタとの距離が従来よりも短くなるため、その分だけフラットケーブルを短縮してコストダウンを達成することができる。
【００１３】
しかも、ＬＥＤ基板の長さ方向中央部の側縁部に取付けられたフラットケーブル接続用のエッジコネクタは、ＬＥＤ基板の長さ方向中央部に搭載されたＬＥＤ光源と干渉することがなく、従って、ＬＥＤ光源のピッチを拡張する必要がないので、点灯時に液晶パネルの表示面に輝度ムラが生じて中央部分が他の部分より暗くなるのを防止することができる。
【００１４】
また、ＬＥＤ基板の裏面に配線を設け、ＬＥＤ基板の長さ方向中央部の側縁部に配線を引き回して端子部を形成すると共に、ＬＥＤ基板表面のＬＥＤ光源搭載用の端子部とＬＥＤ基板裏面の配線をスルーホールで接続した場合は、ＬＥＤ光源を搭載したＬＥＤ基板の表面に配線を設ける場合に比べて、ＬＥＤ基板の幅寸法を小さくできるので、その分だけ液晶モジュールを薄型化できる利点がある。
【図面の簡単な説明】
【００１５】
【図１】本発明の一実施形態に係る液晶モジュールの正面図である。
【図２】同液晶モジュールの背面図である。
【図３】同液晶モジュールの断面図である。
【図４】エッジコネクタを分離した状態のＬＥＤ基板の正面図である。
【図５】同ＬＥＤ基板の正面図である。
【図６】エッジコネクタを取付けた状態の同ＬＥＤ基板の断面図である。
【図７】エッジコネクタを取付けた状態の他のＬＥＤ基板の正面図である。
【図８】エッジコネクタを分離した状態の他のＬＥＤ基板の背面図である。
【図９】コネクタを取付けた状態の従来のＬＥＤ基板の正面図である。
【図１０】従来の液晶モジュールの背面図である。
【発明を実施するための形態】
【００１６】
図１〜図３に示す液晶モジュールは、板金を曲げ加工した浅い箱型のリアフレーム６の内側に、エッジライト型のバックライトユニットが組み込まれている。このバックライトユニットは、透明な合成樹脂よりなる導光板１の上下の端面沿いにＬＥＤ基板２，２を配置したものであって、導光板１の背面側には光反射シート７が配置されており、導光板１の前面側には光拡散シートなどの光学シート８と液晶パネル９が配置されている。
【００１７】
液晶パネル８は、図３に示すように、リアフレーム６の側壁先端部に取付けられた合成樹脂製のセルガイド１０に支持され、セルガイド１０の位置決め突起１０ａで上下左右に位置決めされている。そして、液晶パネル８の四周縁が方形枠状のベゼル１１によって被覆、固定されている。また、光学シート８は、リアフレーム６の側壁先端部とセルガイド１０との間の凹部にシート四周縁を挟み込むことによって固定されている。
【００１８】
エッジライト型バックライトユニットのＬＥＤ基板２は、図４〜図６に示すように、帯状の基板本体２ｃの表面に複数のＬＥＤ（発光ダイオード）光源２ａを一定間隔をあけて一列に並べて搭載したものであって、基板本体２ｃの長さ方向中央部から片側に搭載した各ＬＥＤ光源２ａに給電する配線２ｂと、反対側に搭載した各ＬＥＤ光源２ａに給電する配線２ｂが、いずれも基板本体２ｃの長さ方向中央部の側縁部へ引き回されて、それぞれの端子部２ｄ，２ｄが側縁部に形成されている。そして、この端子部２ｄ，２ｄが形成された基板本体２ｃの上記側縁部には、フラットケーブル接続用のエッジコネクタ１２が取付けられている。
【００１９】
このエッジコネクタ１２は、図６に示すように一対の挟持片１２ａ，１２ａを備えたもので、基板本体２ｃの上記側縁部をこの挟持片１２ａ，１２ａで挟み込むことによって基板本体２ｃに取付けられており、一方の挟持片１２ａの内面に形成された端子部１２ｂを基板本体２ｃの上記側縁部に形成された端子部２ｄに接触させることによって電気的に接続されている。そして、このエッジコネクタ１２にはフラットケーブル４の一端が接続され、このフラットケーブル４は、図２，図３に示すようにリアフレーム６の開口部６ａからリアフレーム６の背面に引き出されて、リアフレーム６の背面に取付けられたメイン基板５のコネクタ３０にフラットケーブル４の他端が接続されている。
【００２０】
この実施形態の液晶モジュールは、上記のようにＬＥＤ基板２の基板本体２ｃの長さ方向中央部の側縁部に給電用の配線２ｂ，２ｂを引き回して端子部２ｄ，２ｄを形成し、フラットケーブル接続用のエッジコネクタ１２の一対の挟持片１２ａ，１２ａでＬＥＤ基板２の基板本体２ｃの上記側縁部を挟み込んでエッジコネクタ１２を基板本体２ｃの上記側縁部に取付けたものであるから、エッジコネクタ１２とリアフレーム６の背面に取付けられたメイン基板５のコネクタ３０との距離が従来よりも短くなり、その分だけフラットケーブル４を短縮してコストダウンを達成することができる。しかも、ＬＥＤ基板２の基板本体２ｃの長さ方向中央部の側縁部に取付けられたフラットケーブル接続用のエッジコネクタ１２は、基板本体２ｃの長さ方向中央部に搭載されたＬＥＤ光源２ａと干渉することがなく、従って、長さ方向中央部に搭載された二つのＬＥＤ光源２ａのピッチを拡張する必要がないので、点灯時に液晶パネル９の表示面に輝度ムラが生じて中央部分が他の部分より暗くなるのを防止することができる。
【００２１】
上記の実施形態では、エッジコネクタ１２をＬＥＤ基板２の基板本体２ｃの長さ方向中央部（丁度、真中部分）の側縁部に正確に取付けているが、エッジコネクタ１２の取付位置は、必ずしも基板本体２ｃの長さ方向中央部の側縁部とする必要がなく、基板本体２ｃの長さ方向中央部からいずれか片側に偏った部分の側縁部にエッジコネクタ１２を取付けるようにしてもよい。このようにいずれか片側に偏って取付ける場合も、従来のようにＬＥＤ基板２の端部にコネクタ３を取付ける場合に比べると、エッジコネクタ１２からメイン基板５のコネクタ３０までの距離がかなり短くなり、フラットケーブル４を短縮してコストダウンを充分図ることができるので、本発明の範囲に含まれるものである。
【００２２】
図７，図８は本発明の液晶モジュールに用いるＬＥＤ基板の他の例を示すもので、このＬＥＤ基板２０は、前記ＬＥＤ基板２よりも幅寸法の小さい基板本体２ｃの表面にＬＥＤ光源２ａを一定間隔をあけて一列に並べて搭載する一方、基板本体２ｃの裏面に、基板本体２ｃの片側に搭載した各ＬＥＤ光源２ａに給電する配線２ｂと、反対側に搭載した各ＬＥＤ光源２ａに給電する配線２ｂを設け、それぞれの配線２ｂ，２ｂを基板本体２ｃの長さ方向中央部の側縁部へ引き回して各端子部２ｄ，２ｄを形成すると共に、基板本体２ｃ表面のＬＥＤ光源搭載用の端子部２ｅと基板本体２ｃ裏面の配線２ｂをスルーホール２ｆで接続している。そして、前記ＬＥＤ基板２と同様に、エッジコネクタ１２を基板本体２ｃの上記側縁部に取付け、このエッジコネクタ１２にフラットケーブル４の一端を接続するようにしたものである。
【００２３】
このＬＥＤ基板２０のように、基板本体２ｃの裏面に配線２ｂを設け、表面のＬＥＤ光源搭載用の端子部２ｅとスルーホール２ｆで接続すると、基板本体２ｃの表面に配線２ｂとＬＥＤ光源搭載用の端子部２ｅの双方を設ける前記ＬＥＤ基板２に比べて、基板本体２ｃの幅寸法を小さくすることができるので、その分だけ液晶モジュールを薄型化できる利点がある。
【００２４】
なお、前述した実施形態の液晶モジュールでは、導光板１の上下の端面にＬＥＤ基板２，２を配置しているが、導光板１の上下いずれか片方の端面にＬＥＤ基板２を配置するようにしてもよく、また、導光板１の左右いずれか片側又は両側の端面にＬＥＤ基板２を配置するようにしてもよいことは言うまでもない。
【符号の説明】
【００２５】
１    導光板
２，２０  ＬＥＤ基板
２ａ  ＬＥＤ光源
２ｂ  配線
２ｃ  基板本体
２ｄ  配線の端子部
２ｅ  ＬＥＤ光源搭載用の端子部
２ｆ  スルーホール
４    フラットケーブル
５    メイン基板
６    リアフレーム
９    液晶パネル
１２  エッジコネクタ
１２ａ  挟持片
１２ｂ  挟持片の端子部
【図１】
2012013722.tif 000003
【図２】
2012013722.tif 000004
【図３】
2012013722.tif 000005
【図４】
2012013722.tif 000006
【図５】
2012013722.tif 000007
【図６】
2012013722.tif 000008
【図７】
2012013722.tif 000009
【図８】
2012013722.tif 000010
【図９】
2012013722.tif 000011
【図１０】
2012013722.tif 000012
【手続補正書】
【提出日】平成23年3月10日(2011.3.10)
【手続補正１】
【補正対象書類名】明細書
【補正対象項目名】００１０
【補正方法】変更
【補正の内容】
【００１０】
上記課題を解決するため、本発明に係る液晶モジュールは、複数のＬＥＤ光源を一定間
隔をあけて一列に並べて搭載したＬＥＤ基板を導光板の端面沿いに配置してなるエッジラ
イト型のバックライトユニットを備え、導光板の前面側に液晶パネルを配置した液晶モジュールであって、 
ＬＥＤ基板の長さ方向中央部の側縁部に配線を引き回して端子部を形成し、フラットケーブル接続用のエッジコネクタの一対の挟持片でＬＥＤ基板の上記側縁部を挟み込んでエッジコネクタをＬＥＤ基板の上記側縁部に取付けると共に、一方の挟持片に形成された端子部とＬＥＤ基板の上記端子部を接続したことを特徴とするものである。
【手続補正２】
【補正対象書類名】特許請求の範囲
【補正対象項目名】請求項１
【補正方法】変更
【補正の内容】
【請求項１】
複数のＬＥＤ光源を一定間隔をあけて一列に並べて搭載したＬＥＤ基板を導光板の端面
沿いに配置してなるエッジライト型のバックライトユニットを備え、導光板の前面側に液晶パネルを配置した液晶モジュールであって、 
ＬＥＤ基板の長さ方向中央部の側縁部に配線を引き回して端子部を形成し、フラットケーブル接続用のエッジコネクタの一対の挟持片でＬＥＤ基板の上記側縁部を挟み込んでエッジコネクタをＬＥＤ基板の上記側縁部に取付けると共に、一方の挟持片に形成された端子部とＬＥＤ基板の上記端子部を接続したことを特徴とする液晶モジュール。